(57)【特許請求の範囲】
【請求項１】
順が決まっている複数の画像を記録しているデータベースと、
複数のボタンとポインタとを表示している表示部と、
前記複数のボタンと前記複数の画像とをそれぞれ対応付けているテーブルと、
前記ポインタを移動させる入力部と、
前記ポインタを移動させる操作以外の操作に独立に、前記入力部の操作に応答して前記ポインタが前記複数のボタンのうちの１つのボタンが表示されている領域に移動されたとき、前記テーブルを参照して前記１つのボタンに対応している前記複数の画像のうちの１つの画像を前記データベースから読み出して前記表示部に表示する制御部とを具備し、
前記複数の画像は、前記順で表示されたときに機械が組み立てられた状態から分解された状態までを示す動画を構成する
表示装置。
【請求項２】
請求項１において、
前記複数のボタンが表示されている領域は、１本の線を含み、
前記複数のボタンの各々が表示されている領域は、前記１本の線に含まれる点を含む
表示装置。
【請求項３】
請求項２において、
前記表示部は、長方形の領域を表示し、
前記長方形の領域は、複数の長方形の部分に分割され、
前記複数の長方形の部分は、それぞれ前記複数のボタンである
表示装置。
【請求項４】
請求項１〜請求項３のいずれかにおいて、
前記複数の画像は、動画を含む
表示装置。
【請求項５】
請求項１〜請求項３のいずれかにおいて、
プリンタを更に具備し、
前記プリンタは、前記複数のボタンと前記ポインタを印刷しないで前記複数の画像を印刷する
表示装置。
【請求項６】
順が決まっている複数の画像を記録しているデータベースと、複数のボタンとポインタとを表示している表示部と、前記複数のボタンと前記複数の画像とをそれぞれ対応付けているテーブルと、前記ポインタが表示される位置を変更する入力部とを具備する表示装置を用いて画像を表示する表示方法であり、
前記ポインタが表示されている位置を検出すること、
前記位置に表示されている前記複数のボタンのうちの１つのボタンを判別すること、
前記ポインタを移動させる操作以外の操作に独立に、前記テーブルを参照して前記１つのボタンに対応した前記複数の画像のうちの１つの画像を前記表示部に表示すること
とを具備し、
前記複数の画像は、前記順で表示されたときに機械が組み立てられた状態から分解された状態までを示す動画を構成する
表示方法。
【請求項７】
請求項６において、
前記複数のボタンが前記位置に表示されていないとき前記複数の画像を前記表示部から消すこと
を更に具備する表示方法。
【請求項８】
請求項６または請求項７のいずれかにおいて、
前記表示装置は、プリンタを更に具備し、
前記複数のボタンと前記ポインタを印刷しないで前記複数の画像を前記プリンタにより印刷すること
を更に具備する表示方法。
【請求項９】
請求項６〜請求項８のいずれか記載の表示方法をコンピュータに実行させるプログラム。
【発明の詳細な説明】
【０００１】
【発明の属する技術分野】
本発明は、表示装置、及び、表示方法に関する。
【０００２】
【従来の技術】
パーソナルコンピュータによる動画再生が公知である。このような動画再生の再生速度は、動画作成者の意思により決定されている。このような動画再生では、閲覧者はスタート、ストップ、拡大の制御しかできない。このため、閲覧者の能力により、動画の内容の理解に差がでてくる。閲覧者が各場面をより詳細に閲覧するために、動画の再生と停止と逆再生を繰り返す必要があるが、これらの操作は一般に煩雑であり閲覧者が納得する再生ができない。動画のスピード制御、正再生、逆再生、動画の再生途中での停止が容易である動画再生方法が望まれている。
【０００３】
パーソナルコンピュータによる図面の閲覧が広く行われている。より理解しやすく閲覧者に表示するために、図面は必要に応じて図面の各部分を説明する表とともに表示されることがある。このとき、表と図面の該当部分との対応が一目では、わかりづらい。さらに、その場では、図面と文章による記述のみの理解でしかない。閲覧者によりわかりやすく画像を表示する表示装置、及び、表示方法が望まれる。
【０００４】
【発明が解決しようとする課題】
本発明の課題は、閲覧者によりわかりやすく画像を表示する表示装置、及び、表示方法を提供することにある。
本発明の他の課題は、動画のスピード制御を容易にする表示装置、及び、表示方法を提供することにある。
本発明のさらに他の課題は、動画の正再生、逆再生を容易にする表示装置、及び、表示方法を提供することにある。
本発明のさらに他の課題は、動画の再生途中での停止が容易である表示装置、及び、表示方法を提供することにある。
本発明のさらに他の課題は、動画の途中の場面からの再生が容易である表示装置、及び、表示方法を提供することにある。
本発明のさらに他の課題は、閲覧者によりわかりやすく図面と表との対応関係を表示する表示装置、及び、表示方法を提供することにある。
本発明のさらに他の課題は、閲覧者によりわかりやすい動画を表示する表示装置、及び、表示方法を提供することにある。
【０００５】
【課題を解決するための手段】
その課題を解決するための手段が、下記のように表現される。その表現中に現れる技術的事項には、括弧（）付きで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈することを意味しない。
【０００６】
本発明による表示装置は、複数の画像（１２−１〜１２−１００）を記録しているデータベース（５）と、複数のボタン（１３−１〜１３−１００）とポインタ（１５）とを表示している表示部（２）と、複数のボタン（１３−１〜１３−１００）と複数の画像（１２−１〜１２−１００）とをそれぞれ対応付けているテーブル（４）と、ポインタ（１５）が表示される位置であるポインタ（１５）位置を移動させる入力部（３）と、入力部（３）の操作に応答してポインタ（１５）位置が複数のボタン（１３−１〜１３−１００）のうちの１つのボタン（１３−１）が表示されている領域に移動されたとき、テーブル（４）を参照して１つのボタン（１３−１）に対応している複数の画像（１２−１〜１２−１００）のうちの１つの画像（１２−１）をデータベース（５）から読み出して表示部（２）に表示する制御部（１）とを具備する。
【０００７】
ポインタ（１５）が１つのボタン（１３−１）と重なって表示されると、ボタン（１３−１）に対応した１つの画像（１２−１）が表示される。画面の作成者は、このような変化の有る画面を作成することができる。閲覧者は、入力部（３）を操作することにより、表示部（２）に表示される画面を変化させることができる。
【０００８】
複数のボタン（１３−１〜１３−１００）が表示されている領域は、１本の線（１９）を含み、複数のボタンのうちの各ボタン（１３−ｉ）が表示される領域は、１本の線に含まれる点を含む。その１本の線（１９）に沿ってポインタ（１５）を移動させることにより、ポインタ（１５）は複数のボタン（１３−１〜１３−１００）の一連と川なって表示され、複数の画像（１２−０〜１２−１００）が１コマずつ表示され、表示部（２）に表示された対象が運動しているような映像即ち動画が表示される。
【０００９】
表示部（２）は、長方形状の領域（１４）を表示し、長方形の領域（１４）は、１対の対辺の両方と垂直に交差している直線により複数の部分に分割され、複数の部分は、それぞれ複数のボタン（１３−１〜１３−１００）である。その１対の対辺に平行に長方形の領域（１４）の内側をポインタ（１５）を移動させることにより、複数の画像（１２−０〜１２−１００）が１コマずつ表示され、表示部（２）に動画が表示される。その他の１対の対辺の両方に交わる直線が１本の線（１９）に対応している。
【００１０】
表示部（２）には、図面（３２）と、複数の文字列（３７−１〜３７−５）から形成される表（３３）とが表示され、複数のボタン（１３−１〜１３−１００）は、それぞれ複数の文字列（３７−１〜３７−５）と兼用され、複数の画像（１２−１〜１２−１００）の各々は、図面（３２）を構成する複数の部分（３６−１〜３６−５）のうちの１つの部分（３６−１）が識別可能に表示される。識別可能に表示とは、他の部分（３６−２〜３６−５）と異なる形態で表示することである。このような表示としては、色を変更して表示すること、点滅させて表示することが例示される。このような表示により、閲覧者は、図面（３２）の各部位と表（３３）に記載された内容との対応関係が理解しやすい。
【００１１】
表示部（２）には、図面（３２）と、複数の文字列（３７−１〜３７−５）から形成される表（３３）とが表示され、複数のボタン（１３−１〜１３−５）は、図面（３２）を構成する複数の部分（３６−１〜３６−５）とそれぞれ兼用され、複数の画像（１２−１〜１２−５）の各々は、複数の文字列（３７−１〜３７−５）のうちの１つの文字列（３７−１）が識別可能に表示されている。識別可能に表示とは、他の文字列（３７−２〜３７−５）と異なる形態で表示することである。このような表示としては、色を変更して表示すること、点滅させて表示すること、フォントを変更して表示することなどが例示される。このような表示により、閲覧者は、図面（３２）の各部位と表（３３）に記載された内容との対応関係が理解しやすい。
【００１２】
ポインタ（１５）が複数のボタン（１３−１〜１３−５）が表示されている領域に表示されないとき、複数の画像（１２−１〜１２−５）は表示されないことが好ましい。
【００１３】
複数の画像（１２−１〜１２−１００）は、動画を含むことが閲覧者にわかりやすい点で好ましい。プリンタ（７）を更に具備し、プリンタ（７）は、複数のボタン（１３−１〜１３−１００）とポインタ（１５）を印刷しないで複数の画像（１２−１〜１２−１００）を印刷することが好ましい。
【００１４】
本発明による表示方法は、複数の画像（１２−１〜１２−１００）を記録しているデータベース（５）と、複数のボタン（１３−１〜１３−１００）とポインタ（１５）とを表示している表示部（２）と、複数のボタン（１３−１〜１３−１００）と複数の画像（１２−１〜１２−１００）とをそれぞれ対応付けているテーブル（４）と、ポインタ（１５）が表示される位置を変更する入力部（３）とを具備する表示装置（１０）を用いて画像を表示する表示方法であり、ポインタ（１５）が表示されている位置を検出すること、位置に表示されている複数のボタン（１３−１〜１３−１００）のうちの１つのボタン（１３−１）を判別すること、テーブル（４）を参照して１つのボタン（１３−１）に対応した複数の画像（１２−１〜１２−１００）のうちの１つの画像（１２−１）を表示部（２）に表示することとを具備する。
【００１５】
画面の作成者は、変化のある画面を作成することができる。閲覧者は、入力部（３）を操作することにより、表示部（２）に表示される画面を変化させることができる。
【００１６】
複数のボタン（１３−１〜１３−５）が位置に表示されていないとき複数の画像（３４）を表示部（２）から消すことを更に具備することが好ましい。
【００１７】
表示装置（１０）は、プリンタ（７）を更に具備し、複数のボタン（１３−１〜１３−１００）とポインタ（１５）を印刷しないで複数の画像（１２−１〜１２−１００）をプリンタ（７）により印刷することを更に具備することが好ましい。
【００１８】
【発明の実施の形態】
図面を参照して、本発明による表示装置の実施の形態を説明する。その表示装置１０は、図１に示されているように、パーソナルコンピュータに例示される情報処理装置に搭載され、ＣＰＵ１、表示部２、入力部３、テーブル４、データベース５、およびプリンタ７を備えている。ＣＰＵ１は、表示部２、入力部３、テーブル４、データベース５、およびプリンタ７に接続されている。
【００１９】
ＣＰＵ１は、表示装置１０の全体の処理を制御する。表示部２は、ＣＰＵ１の指示によりポインタと複数のボタンと複数の画像とを表示する。入力部３は、マウスに例示される入力装置であり、閲覧者が入力したポインタを移動するためのコマンドをＣＰＵ１に入力する。テーブル４は、複数のボタンと複数の画像とを対応付けて記録している。データベース５は、複数の画像を記録している。プログラムメモリ部６は、ＣＰＵ１が実行するプログラムを記憶し、ＣＰＵ１がそのプログラムを実行する際に発生するデータを記憶する。プリンタ７は、ＣＰＵ１の指示により図面を紙に印刷する。
【００２０】
図２は、表示部２に表示される画面を示している。その画面１１には、データベース７に記録されている１００個の画面１２−１〜１２−１００のうちの１つの画面１２−１が表示され、１００個のボタン１３−１〜１３−１００から形成されているバー１４が表示され、ポインタ１５が表示されている。バー１４は、長方形状であり、長方形の長辺の方向１６に１００個の合同な長方形に分割されている。分割された１００個の長方形は、それぞれが１００個のボタン１３−１〜１３−１００である。即ち、１００個のボタン１３−１〜１３−１００は、長辺の方向１６に１列に並べられ、バー１４を隙間なく埋めている。ポインタ１５は、表示部２に表示される画面の任意の位置に表示されることができる。
【００２１】
このとき、テーブル４は、ボタン１３−ｉ（ｉ＝１，２，３，…，１００）に画像１２−ｉを対応させている。
【００２２】
図３は、本発明による表示方法の実施の形態を示している。その表示方法は、プログラムメモリ部６に記録されているプログラムに基づいて表示装置１０により実行される。このプログラムは、表示装置１０に搭載されたＯＳ上で起動し、または、アプリケーションソフトウェアに従属して起動する。そのアプリケーションソフトウェアとしては、インターネットブラウザが例示される。
【００２３】
先ず、図２に示されているような画面１１が表示部２に表示される（ステップＳ１）。このとき、ポインタ１５が表示部２にさらに表示され、ポインタ１５は閲覧者が入力部３を操作することにより、表示部２に表示された画面上を移動することができる。次いで、ポインタ１５の位置が検出される（ステップＳ２）。
【００２４】
ポインタ１５が１００個のボタンのいずれかと重なっているかどうかが判別される（ステップＳ３）。ポインタ１５が１００個のボタンのいずれとも重なっていないとき（ステップＳ３；重なっていない）、再度ステップＳ２が実行され、ポインタ１５の位置が検出される。
【００２５】
ポインタ１５がバー１４と重なっているとき（ステップＳ３；重なっている）、重なっているボタン１３−ｉが識別される。テーブル４に基づいてボタン１３−ｉに対応する画像１２−ｉが選択されて、データベース５に記録されている画像１２−ｉが、表示部２に表示される（ステップＳ４）。図４は、ポインタ１５がボタン１３−ｉに表示されたときの表示部２に表示される画面２１を示している。
【００２６】
ポインタ１５が位置しているボタン１３−ｉに対応した画像１２−ｉが表示部２に表示された後、再度ステップＳ２が実行されるループに入る。このため、ポインタ１５が長辺の方向１６と垂直な方向に移動してバー１４の外側に配置された場合、画像１２−ｉは表示されたままである。バー１４の内側にポインタ１５が配置されると、再度、ボタン１３−ｉに対応した画像１２−ｉが表示される。
【００２７】
このような表示方法では、閲覧者が入力部３を操作してバー１４の内側を長辺の方向１６にポインタ１５を移動させることにより、１００枚の画像１２−１〜１００を所定の順で次々に表示し、動画を表示することができる。閲覧者がバー１４の内側を長辺の方向１６にポインタ１５を移動させる速度を変えることにより、容易にスロー再生、早送り、逆再生を実行することができる。さらに、ポインタ１５の移動を停止することにより、動画の再生を任意の場面で停止することができる。ポインタ１５をバー１４の途中から移動させることにより、任意の場面から動画を表示することができる。
【００２８】
データベース５に記録されている１００枚の画面１２−１〜１２−１００は、対象機械が組み立てられた状態から分解された状態までを示している。製品の整備解説において、機械の分解・組み立て手順は、動画で説明することが適切な理解が得られて好ましい。データベース５は、複数の画像１２−ｉとして対象機械を周囲から写された写真を記録することができる。このとき、対象機械が回転する動画が表示部２に表示され、閲覧者は対象機械の形状の適切な理解が得られて好ましい。本実施の形態による表示装置、および、表示方法によれば、閲覧者の意志で極めて容易に様々な動画を表示することができ、閲覧者は内容を容易に理解することができる。
【００２９】
データベース５は、複数の画像１２−ｉとして対象機械の各部分の透明度を変化させた画像を記録することができる。対象機械の外側の部分の透明度を増加させる動画は、対象機械の構造をより詳細に表現することができる。
【００３０】
なお、１００枚の画像１２−１〜１２−１００は、全てがデータベース５に記録されていなくてもよい。このとき、データベース５に記録された画像は、ベクトル化されており、複数の数値により表現されている。データベース５に記録されていない画像は、動画で表示した場合の前後の画像である記録されている画像に基づいて作成されることができる。ポインタ１５は、バー１４上の位置が数値として検出され、その数値に基づいて画像が作成されるとき、その数値が同一に検出される領域をボタン１３−ｉとみなすことができる。ベクトル化された画像は、きれいであり、情報量が小さいという効果を奏する。
【００３１】
さらに、１つの画像１２−ｉが動画であっても良い。即ち、ポインタ１５を停止した状態であっても、画像１２−ｉが運動している。このとき、例えば、常に運動している対象を表現することができる。さらに、１つの画像１２−ｉを表示している期間に音声を出力するようにすると、表現が多様になり好ましい。このような表示装置、および、表示方法をゲームに使用することもできる。
【００３２】
プログラムメモリ部６は、さらにプリンタ７により画像１２−ｉを印刷する印刷プログラムを記録している。このプログラムは、紙の上では意味がないバー１４とポインタ１５とを印刷しないで、画像１２−ｉのみをプリンタ７に印刷させる。このように印刷された印刷物は、閲覧者にとってよりわかりやすい。
【００３３】
本発明による表示装置の実施の他の形態を説明する。図５は、表示部２に表示される画面３１を示している。画面３１には、図面３２、表３３、および図面３４が表示され、ポインタ１５が表示されている。
【００３４】
図面３２は、機械を分解した状態を示している。図面３２は、複数の図形３５−１〜３５−５、複数の符号３６−１〜３６−５、および、図形３５−１〜３５−５と符号３６−１〜３６−５とをそれぞれ結び対応付けている引き出し線３８とから形成されている。複数の図形３５−１〜３５−５は、その機械を構成する個々の部品とその配置を示している。表３３は、複数の文字列３７−１〜３７−５から形成されている。文字列３７−ｊ（ｊ＝１，２，３，４，５）は、図形３５−ｊと対応し、図形３５−ｊで示される部品の名称を示している。
【００３５】
図面３４は、データベース５に記録されている複数の画像のうちの１つが表示される。図５では、図面３４に図形３５−１で示される部品に対応する画像４１−１が表示されている。このように図面３４には、図形３５−ｊで示される部品に対応する画像が表示される。図面３４に表示される画像は、動画であってもよい。例えば、画像４１−１が図形３５−１で示される部品を回転させる動画である場合、部品の形状の適切な理解が得られて好ましい。
【００３６】
符号３６−１〜３６−５は、それぞれがボタン１３−１〜１３−５である。さらに、文字列３７−１〜３７−５も、それぞれがボタン１３−１〜１３−５である。即ち、ボタン１３−ｊは、符号３６−ｊが表示されている領域であり、文字列３７−ｊが表示されている領域である。
【００３７】
図６は、本発明による表示方法の実施の他の形態を示している。その表示方法は、プログラムメモリ部６に記録されているプログラムに基づいて表示装置１０により実行される。
【００３８】
先ず、図面３２と表３３とが表示部２に表示される（ステップＳ１１）。図面３２の符号３６−１〜３６−５は、すべて同一の色で表示される。表３３の文字列３７−１〜３７−５も同様にすべて同一の色、フォントで表示される。図面３４が表示される領域には、何も表示されない。
【００３９】
ポインタ１５が表示部２にさらに表示され、ポインタ１５は閲覧者が入力部３を操作することにより、表示部２に表示された画面上を移動することができる。次いで、ポインタ１５の位置が検出される（ステップＳ１２）。
【００４０】
ポインタ１５が５個のボタン１３−１〜１３−５のいずれかと重なっているかどうかが判別される（ステップＳ１３）。ポインタ１５が５個のボタン１３−１〜１３−５のいずれとも重なっていないとき（ステップＳ１３；重なっていない）、再度ステップＳ１１が実行され、画面３１が表示部２に表示される。
【００４１】
ポインタ１５がボタン１３−１〜１３−５のいずれかと重なっているとき（ステップＳ１３；重なっている）、重なっているボタン１３−ｊが識別される。テーブル４が参照され、ボタン１３−ｊに対応する画像が選択されて、データベース５に記録されている画像が、表示部２に図面３４として表示される（ステップＳ１４）。
【００４２】
さらに、ボタン１３−ｊに対応する符号３６−ｊの色が変更されて表示される（ステップＳ１５）。このような表示により、符号３６−ｊは、閲覧者により他の符号３６−ｊ’（ｊ’≠ｊ）と識別可能に表示され、図面３２と図面３４との対応が理解しやすい。符号３６−ｊは、他の符号３６−ｊ’と色以外の表示形態を変更させることができる。例えば、符号３６−ｊを点滅に例示されるアニメーションで表示することができる。
【００４３】
ボタン１３−ｊに対応する文字列２７−ｊの色が変更されて表示される。このような表示により、文字列３７−ｊは、閲覧者により他の文字列３７−ｊ’（ｊ’≠ｊ）と識別可能に表示され、表３３、図面３２および図面３４との対応が理解しやすい。文字列３７−ｊは、他の文字列３７−ｊ’と色以外の表示形態を変更させることができる。例えば、文字列３７−ｊを他の文字列３７−ｊ’と異なるフォントで表示することができる。
【００４４】
ポインタ１５が位置しているボタン１３−ｊに対応した画像が図面３４に表示され、符号３６−ｊおよび文字列３７−ｊが表示された後、再度ステップＳ１２が実行されるループに入る。このため、ポインタ１５がボタン１３−ｊと重なって表示されている期間は、図面３４に画像が表示されたままであり、符号３６−ｊと文字列３７−ｊとが他と異なる色で表示されたままである。ポインタ１５がボタン１３−ｊと重なって表示されていない期間は、ステップＳ１１が実行されるループに入っており、図面３２の符号３６−１〜３６−５は、すべて同一の色で表示され、表３３の文字列３７−１〜３７−５も同様にすべて同一の色で表示される。図面３４が表示される領域には、何も表示されない。
【００４５】
図５に示されている画面３１では、ポインタ１５がボタン１２−１である符号３６−１が表示されている領域に表示されている。このため、表３３の文字列３７−１は色が変更されて表示され、図面３４には画像４１−１が表示されている。
【００４６】
プログラムメモリ部６は、さらにプリンタ７により画面３１を印刷する印刷プログラムを記録している。このプログラムは、図面３２と表３３とを別個の紙にプリンタ７により印刷させる。このように印刷された印刷物は、閲覧者にとってよりわかりやすい。
【００４７】
【発明の効果】
本発明による表示装置、及び、表示方法は、閲覧者にわかりやすく図面を表示させることができる。
【図面の簡単な説明】
【図１】図１は、本発明による表示装置の実施の形態を示すブロック図である。
【図２】図２は、画面の１例を示す図である。
【図３】図３は、本発明による表示方法の実施の形態を示すフローチャートである。
【図４】図４は、画面の１例を示す図である。
【図５】図５は、画面の１例を示す図である。
【図６】図６は、本発明による表示方法の実施の他の形態を示すフローチャートである。
【符号の説明】
１…ＣＰＵ
２…表示部
３…入力部
４…テーブル
５…データベース
６…プログラムメモリ部
７…プリンタ
１０…表示装置
１１…画面
１２−１〜１２−１００…画像
１３−１〜１３−１００…ボタン
１４…バー
１５…ポインタ
１６…長辺の方向
１７…長辺
１８…短辺
１９…線
２１…画面
３１…画面
３２…図面
３３…表
３４…図面
３５−１〜３５−５…図形
３６−１〜３６−５…符号
３７−１〜３７−５…文字列
３８…引き出し線
４１−１…画像
【図１】
0003886731.tif 000002
【図２】
0003886731.tif 000003
【図３】
0003886731.tif 000004
【図４】
0003886731.tif 000005
【図５】
0003886731.tif 000006
【図６】
0003886731.tif 000007